(57)【要約】【課題】視覚障碍者等であっても階層に分かれている機能を携帯端末の移動だけで選択できる入力装置および入力プログラムを提供する。【解決手段】スマートフォンＳの動きを検出する検出器２と、スマートフォンＳの動きに基づいて入力を判断する判断部５と、判断部５の判断に基づいて機能を選択する選択部１０と、を備えており、選択部１０は、複数の選択メニューＭを含むメニューテーブルデータ１６を複数有しており、下位階層のメニューテーブルデータ１６と、上位階層のメニューテーブルデータ１６に含まれる選択メニューＭと、を関連づけた階層連携データ１７と、各メニューテーブルデータ１６における複数の選択メニューＭとスマートフォンＳの移動方向とを関連させて記憶した移動方向決定データ１８と、を有しており、判断部５は、スマートフォンＳの移動方向を等角度間隔の４、６、または８方向に分類して判断する機能を有している。【選択図】図１
2019096260.tif 000002
【特許請求の範囲】
【請求項１】
携帯用端末での入力操作に使用される装置であって、
携帯用端末の動きを検出する検出器と、
該検出器によって検出された携帯用端末の動きに基づいて入力を判断する判断部と、
該判断部の判断に基づいて機能を選択する選択部と、を備えており、
前記選択部は、
複数の階層に分けられた、複数の選択メニューを含むメニューテーブルデータを複数有しており、
下位階層のメニューテーブルデータと、上位階層のメニューテーブルデータに含まれる選択メニューと、を関連づけた階層連携データと、
各メニューテーブルデータにおける複数の選択メニューと携帯用端末の移動方向とを関連づけた移動方向決定データと、を有しており、
前記判断部は、
携帯用端末の動きに基づいて、携帯用端末の移動方向を等角度間隔の４、６、または８方向に分類して判断する機能を有している
ことを特徴とする入力装置。
【請求項２】
前記メニューテーブルデータの階層が３階層以下である
ことを特徴する請求項１記載の入力装置。
【請求項３】
使用者が、
前記選択部の移動方向決定データにおける選択メニューと関連づける携帯用端末の移動方向を変更する選択方法変更部を備えている
ことを特徴する請求項１または２記載の入力装置。
【請求項４】
前記選択部が、
選択された選択メニューを読み上げる読み上げ機能を有している
ことを特徴する請求項１、２または３記載の入力装置。
【請求項５】
前記選択部の読み上げ機能は、
携帯用端末の連続して移動させた場合において、最終選択された選択メニューのみを読み上げる機能を有している
ことを特徴する請求項１、２、３または４記載の入力装置。
【請求項６】
前記判断部が、
携帯用端末の移動を開始したことを決定する移動開始判断条件を決定する機能、および、携帯用端末が移動を停止したことを決定する移動停止判断条件を決定する機能を有しており、
該移動停止判断条件および／または前記移動開始判断条件を変更する条件変更機能を有している
ことを特徴する請求項１、２、３、４または５記載の入力装置。
【請求項７】
携帯用端末にインストールされるプログラムであって、
携帯用端末の各機器に請求項１乃至６のいずれかの入力装置の動作を実施するように作動させるものである
ことを特徴する入力プログラム。
【発明の詳細な説明】
【技術分野】
【０００１】
本発明は、入力装置および入力プログラムに関する。
【背景技術】
【０００２】
スマートフォンや携帯電話等の携帯端末の入力は、通常、ボタンを押下したり画面にタッチしたりして行われる。しかし、視覚障碍者の方等は画面やボタンの確認が行いにくい場合があり、操作に時間が掛かる場合がある。とくに、スマートフォンのように、画面上で操作を行う場合には、画面に表示された画像を認識して操作しなければならないので、操作が困難であったり操作できなかったりする可能性がある。
【０００３】
従来、音声によって操作をガイドする機能を備えたものがあり、音声ガイドがあれば視覚障碍者の方等でも操作を認識しやすくなるという利点が得られる。しかし、音声ガイドは、劇場や会議場などのような携帯端末の操作音が禁止されているような場合には使用することができない。イヤホーン等を使用すれば上記のような場面でも、音声ガイドによって操作が可能であるが、イヤホーンを装着しなければならないので、手間がかかる。
【０００４】
そこで、近年では、携帯端末を傾けたり振ったりすることによって操作を切り替えることができる技術が開発されている（特許文献１、２参照）。
【先行技術文献】
【特許文献】
【０００５】
【特許文献１】特開２００８−２１０１２７号公報
【特許文献２】特開２０１５−１５６２０１号公報
【発明の概要】
【発明が解決しようとする課題】
【０００６】
しかるに、特許文献１の技術は携帯端末を回したり傾けたりすることによって、５０音の文字の行変換と列内の文字の移動を選択するだけである。特許文献２の技術は携帯端末の傾きを変えることによって画面内のアイコン等を選択する技術が開示されているだけである。いずれも階層に分かれている機能を携帯端末の移動だけで選択する機能は有していない。
【０００７】
本発明は上記事情に鑑み、視覚障碍者等であっても階層に分かれている機能を携帯端末の移動だけで選択できる入力装置および入力プログラムを提供することを目的とする。
【課題を解決するための手段】
【０００８】
第１発明の入力装置は、携帯用端末での入力操作に使用される装置であって、携帯用端末の動きを検出する検出器と、該検出器によって検出された携帯用端末の動きに基づいて入力を判断する判断部と、該判断部の判断に基づいて機能を選択する選択部と、を備えており、前記選択部は、複数の階層に分けられた、複数の選択メニューを含むメニューテーブルデータを複数有しており、下位階層のメニューテーブルデータと、上位階層のメニューテーブルデータに含まれる選択メニューと、を関連づけた階層連携データと、各メニューテーブルデータにおける複数の選択メニューと携帯用端末の移動方向とを関連づけた移動方向決定データと、を有しており、前記判断部は、携帯用端末の動きに基づいて、携帯用端末の移動方向を等角度間隔の４、６、または８方向に分類して判断する機能を有していることを特徴とする。
第２発明の入力装置は、第１発明において、前記メニューテーブルデータの階層が３階層以下であることを特徴する。
第３発明の入力装置は、第１または第２発明において、使用者が、前記選択部の移動方向決定データにおける選択メニューと関連づける携帯用端末の移動方向を変更する選択方法変更部を備えていることを特徴する。
第４発明の入力装置は、第１、第２または第３発明において、前記選択部が、選択された選択メニューを読み上げる読み上げ機能を有していることを特徴する。
第５発明の入力装置は、第１、第２、第３または第４発明において、前記選択部の読み上げ機能は、携帯用端末の連続して移動させた場合において、最終選択された選択メニューのみを読み上げる機能を有していることを特徴する。
第６発明の入力装置は、第１、第２、第３、第４または第５発明において、前記判断部が、携帯用端末の移動を開始したことを決定する移動開始判断条件を決定する機能、および、携帯用端末が移動を停止したことを決定する移動停止判断条件を決定する機能を有しており、該移動停止判断条件および／または前記移動開始判断条件を変更する条件変更機能を有していることを特徴する。
第７発明の入力プログラムは、携帯用端末にインストールされるプログラムであって、携帯用端末の各機器に請求項１乃至６のいずれかの入力装置の動作を実施するように作動させるものであることを特徴する。
【発明の効果】
【０００９】
第１発明によれば、携帯用端末を移動させるだけで選択メニューを選ぶことができるので、視覚障碍者等であっても携帯用端末の操作が容易になる。しかも、選択メニューを選ぶ動作を４、６または８方向にしているので、誤操作を少なくすることができる。
第２発明によれば、メニューテーブルデータの階層が３階層以下であるので、視覚障碍者であっても携帯用端末の操作が容易になる。
第３発明によれば、使用者が自分に適した操作に調整できるので、携帯用端末の操作が容易になる。
第４発明によれば、視覚障碍者の方の誤操作を抑制できる。
第５発明によれば、使用に慣れた使用者のメニュー選択時間を短縮できる。
第６発明によれば、使用者に適した操作に調整できるので、誤操作を少なくすることができる。
第７発明によれば、視覚障碍者等であっても携帯用端末の操作を容易なものとすることができる。
【図面の簡単な説明】
【００１０】
【図１】本実施形態の入力装置１を内蔵するスマートフォンＳの概略ブロック図ある。
【図２】スマートフォンＳに表示されるメニューテーブルデータ１６Ａと、メニューテーブルデータ１６Ａの選択メニューＭと下位階層のメニューテーブルデータ１６Ｂ、１６Ｃとの関係、メニューテーブルデータ１６Ｂの選択メニューＭと下位階層のメニューテーブルデータ１６Ｄ、１６Ｆとの関係を示した図である。
【図３】（Ａ）は階層連携データ１７の一例であり、（Ｂ）移動方向決定データ１８の一例である。
【図４】本実施形態の入力装置１の処理フローを示した図である。
【図５】（ａ）は携帯用端末の移動方向の分類を示した図であり、（ｂ）は連続して入力を行う場合における携帯用端末の移動軌跡一例を示した図であり、（ｃ）は触覚パターンを被験者が触って移動方向を認識している状況の写真である。
【図６】実験結果を示した図である。
【図７】実験結果を示した図である。
【図８】実験結果を示した図である。
【発明を実施するための形態】
【００１１】
本発明の入力装置は、携帯用端末などに採用できる入力装置であって、メニュー選択を容易かつ迅速に行うことができるようにしたことに特徴を有している。
【００１２】
本発明の入力装置を採用できる携帯用端末は限定されないが、スマートフォンやタブレット端末等のように画面に触れて操作する携帯用端末（以下単にスマートフォン等という場合がある）における入力装置として適している。
【００１３】
とくに、本発明の入力装置は、視覚障害者の方などのようにスマートフォン等の操作画面を視認することが困難な使用者や、操作画面を目視で確認して操作することが困難な状況でスマートフォン等を使用する使用者、スマートフォン等の画面に触れて操作することが難しい使用者等が使用する携帯用端末等、の入力装置として適している。
【００１４】
操作画面を目視で確認して操作することが困難な状況でスマートフォン等を使用する使用者とは、例えば、画面を目で見ることができる位置にスマートフォン等を配置することが難しい狭い作業空間の中でスマートフォン等の操作が必要である作業者などが該当する。
また、スマートフォン等の画面に触れて操作することが難しい使用者とは、例えば、手袋を着用した状態で作業をしなければならない作業者や、指などでスマートフォン等の画面を操作してもスマートフォン等が反応しにくい使用者等が該当する。
以下では、上記操作画面を目視で確認して操作することが困難な状況でスマートフォン等を使用する使用者およびスマートフォン等の画面に触れて操作することが難しい使用者を含めて、視覚障害者等という場合がある。
【００１５】
以下では、本発明の入力装置が採用される携帯用端末がスマートフォンである場合を代表として説明する。
また、以下の説明では、スマートフォンに本発明の入力装置の各機器が内蔵されている場合を説明する。一方、本発明の各機器に相当する機器をスマートフォンが有している場合には、それらの機器に所定の操作を実行させるプログラムが本発明のプログラムになる。
【００１６】
＜本実施形態の入力装置１＞
図１に示すように、本実施形態の入力装置１は、スマートフォンＳ等に内蔵または設置される装置であって、スマートフォンＳの動きによって選択メニューを選択する機能を有するものである。
【００１７】
選択メニューを選択する機能とは、通常のスマートフォンＳであれば以下のような機能を意味している。例えば、スマートフォンＳの画面に図２のように複数の選択メニューＭが表示されている状態において、選択メニューＭのアイコンの位置が指などでタッチされると、その選択メニューＭが選択される機能を意味している。本実施形態の入力装置１では、選択メニューＭのアイコンの位置を指などでタッチする動作に代えて、スマートフォンＳを動かせることによって選択メニューＭを選択することができる。
【００１８】
＜検出部２＞
図１において、符号２はスマートフォンＳの本体に内蔵されている検出器を示している。この検出器２は、スマートフォンＳの動きを検出する機能を有する機器である。例えば、スマートフォンＳの移動する方向と加速度を検出する機能を有する加速度センサやジャイロセンサ、速度センサ、ＧＰＳセンサ等を検出器２として挙げることができる。この検出器２は、検出した加速度や速度等の情報を外部に送信する機能を有している。
なお、検出器２は本実施形態の入力装置１が独自に備えていてもよいが、スマートフォンＳ自体が備えているセンサを検出器２として使用することもできる。
【００１９】
＜判断部５＞
図１に示すように、検出器２は判断部５に電気的に接続されている。つまり、検出器２が検出した加速度等の情報が判断部５に送信されるようになっている。この判断部５は、検出器２から送信される加速度等の情報に基づいて、スマートフォンＳの動きを判断する移動方向決定機能６と、移動方向決定機能６が決定した移動方向を分類する移動方向分類機能７を有している。
【００２０】
移動方向決定機能６は、スマートフォンＳの移動停止を判断し、スマートフォンＳの移動による入力操作がなされたか否かを判断する機能を有している。
【００２１】
この移動方向決定機能６は、以下の方法で移動と停止を判断できる。
例えば、検出器２によって検出される加速度や速度（加速度を演算して得る場合も含む）が一定の値を越えた場合に、移動方向決定機能６は加速度等の方向にスマートフォンＳが移動を開始したと判断する。一方、検出器２によって検出される加速度や速度（加速度を演算して得る場合も含む）が一定の値よりも小さくなった場合に、移動方向決定機能６はスマートフォンＳが移動を停止したと判断する。
【００２２】
なお、移動方向決定機能６は、検出器２によって検出される加速度等の方向が変化した場合には、スマートフォンＳの移動が一旦停止した後再度異なる方向に移動を開始したと判断するようになっている。例えば、図５（ｂ）に示すように連続してスマートフォンＳを移動させた場合には、移動方向が変化した点（角になっている点）でスマートフォンＳの移動が一旦停止し、その後再度異なる方向に移動したと判断する。すると、スマートフォンＳを連続して移動させれば、連続した機能選択が可能となる。この場合、後述するように、メニューテーブルデータ１６が複数の階層になるようにリンクされている場合でも、目的とする階層のメニューテーブルデータ１６の目的とする選択メニューＭの機能を、スマートフォンＳを一度移動させるだけで選択することが可能となる。
【００２３】
また、移動方向決定機能６が移動方向を決定する方法は上記の方法に限られない。
【００２４】
さらに、移動方向決定機能６は、上記に加えて、加速度等が一定の値を越えた期間があっても、その期間が一定の期間よりも短い場合やその期間に移動する距離が一定の距離よりも短い場合には、スマートフォンＳは移動していないと判断する機能を有していてもよい。この場合、スマートフォンＳの所持者が意図せずスマートフォンＳを動かした際に、入力があったと誤認識して作動することを防止できる。
【００２５】
移動方向決定機能６は、スマートフォンＳの移動方向を決定する機能も有している。移動方向決定機能６は、例えば、移動開始時の加速度や速度（加速度を演算して得る場合も含む）の方向を移動方向として決定したり、移動開始を判断したタイミングの位置と移動停止を判断したタイミングの位置に基づいて移動方向を決定したりすることができる。なお、移動方向決定機能６が移動方向を決定する方法は上記の方法に限られない。
【００２６】
なお、移動方向決定機能６は、予め定められた基準値（加速度や速度など）に基づいてスマートフォンＳの移動開始および停止を判断してもよいが、基準値を後から入力したのち基準値を変更したりできる機能（条件変更機能）を有していてもよい。すると、スマートフォンＳの使用者に合わせて適切に移動停止を判断できるので、スマートフォンＳの移動の誤認識に起因する誤操作を少なくすることができる。この場合、基準値を変更する方法はとくに限定されない。例えば、初期設定機能を設けて、実際にスマートフォンＳを移動させて条件を入力するようにしてもよいし、数値等を入力するようにしてもよい。
【００２７】
移動方向分類機能７は、移動方向決定機能６によって決定されたスマートフォンＳの移動方向を等角度間隔の４、６、または８方向（図５（ａ）参照）に分類して判断する機能である。つまり、４方向に分類する場合には、移動方向分類機能７は、検出器２が検出した加速度等の情報に基づいて、スマートフォンＳの移動方向を左右方向および上下方向のいずれかに分類する。また、６方向に分類する場合には、移動方向分類機能７は、検出器２が検出した加速度等の情報に基づいて、スマートフォンＳの移動方向を左右方向または上下方向およびその間を６０°毎に分割する方向のいずれかに分類する。さらに、８方向に分類する場合には、移動方向分類機能７は、スマートフォンＳの移動方向を検出器２が検出した加速度等の情報に基づいて、左右方向および上下方向およびその間を４５°毎に分割する方向のいずれかに分類する。
【００２８】
なお、移動方向分類機能７は、スマートフォンＳの移動を必ず上述した各方向に分類するようになっていてもよいし、各方向に対してある程度以上角度等がズレている場合にはそのスマートフォンＳの移動はエラーであると判断するようになっていてもよい。
【００２９】
＜選択部１０＞
図１に示すように、判断部５が分類したスマートフォンＳの移動方向に基づいて、選択された機能を判断する機能を有している。この選択部１０は、複数のメニューテーブルデータ１６、階層連携データ１７および移動方向決定データ１８を記憶した記憶部１５と、スマートフォンＳの移動方向と上記各データに基づいて選択された機能を判断する機能選択部１１と、を備えている。
【００３０】
＜記憶部１５＞
記憶部１５に記憶されている各データは以下のようなデータである。
【００３１】
＜メニューテーブルデータ１６＞
まず、メニューテーブルデータ１６はそれぞれ複数の選択メニューＭを有するデータである。例えば、メニューテーブルデータ１６に基づいてスマートフォンＳの画面表示される画像では、図２に示すような形式を挙げることができる。なお、画面にメニューテーブルデータ１６の画像（選択メニューＭのアイコン等）を表示する場合には、後述する機能選択部１１が選択した選択メニューＭと関連づけられたメニューテーブルデータ１６の画像が表示部Ｄに送信される（図２参照）。
【００３２】
各メニューテーブルデータ１６に含まれる選択メニューＭはとくに限定されない。例えば、最上位のメニューテーブルデータ１６であれば、例えば、電話やメール、メモ等の機能を選択メニューＭとして挙げることができる。また、下位階層のメニューテーブルデータ１６は、上位階層のメニューテーブルデータ１６の機能のさらに具体的な機能が含まれている。例えば、最上位層のメニューテーブルデータ１６の選択メニューＭが電話の場合、その選択メニューＭに関連づけられている下位階層のメニューテーブルデータ１６の選択メニューＭとしては、電話帳やリダイヤル、短縮ダイヤル等を挙げることができる。
【００３３】
なお、各メニューテーブルデータ１６に含まれる選択メニューＭは、判断部５が分類する方向の数と同じになるように調整されている。例えば、判断部５がスマートフォンＳの移動を４方向に分類する場合には、メニューテーブルデータ１６には４つの選択メニューＭが含まれるように調整される。
【００３４】
＜階層連携データ１７＞
この複数のメニューテーブルデータ１６は複数の階層に分かれており、下位階層のメニューテーブルデータ１６と、上位階層のメニューテーブルデータ１６の選択メニューＭとが関連づけられている（図３（Ａ）参照）。この下位階層のメニューテーブルデータ１６と上位階層のメニューテーブルデータ１６に含まれる選択メニューＭとの関連性が階層連携データ１７に記憶されている。例えば、１つの上位階層のメニューテーブルデータ１６に４つの選択メニューＭが含まれている場合には、各選択メニューＭが４つの下位階層のメニューテーブルデータ１６とリンクされている。したがって、上位階層のメニューテーブルデータ１６の一つの選択メニューＭが選択されると、その選択メニューＭとリンクされている下位階層のメニューテーブルデータ１６に切り替えることができる（図２参照）。
【００３５】
＜移動方向決定データ１８＞
移動方向決定データ１８には、各メニューテーブルデータ１６における複数の選択メニューＭと、判断部５が判断するスマートフォンＳの移動方向と、が関連づけて記憶されている（図３（Ｂ）参照）。
【００３６】
＜機能選択部１１＞
機能選択部１１は、判断部５によってスマートフォンＳの移動方向が分類されると、選択されているメニューテーブルデータ１６においてその移動方向と関連づけられている選択メニューＭを実行させる機能を有している。例えば、最上位階層のメニューテーブルデータ１６では、スマートフォンＳの右斜め上への移動が、選択メニューＭの電話機能と関連づけられているとする。この場合、判断部５によってスマートフォンＳの移動方向が右斜め上に分類されると、その情報に基づいて機能選択部１１は選択メニューＭの電話機能を実行させる。この場合、選択メニューＭの電話機能が下位階層のメニューテーブルデータ１６とリンクされている場合には、下位階層のメニューテーブルデータ１６が選択される。
【００３７】
＜メニューテーブルデータ１６の階層＞
メニューテーブルデータ１６の階層はとくに限定されないが、２階層または３階層とすれば、視覚障碍者であってもスマートフォンＳの操作が容易になる。つまり、スマートフォンＳの移動方向を等角度間隔の４、６、または８方向に分類して判断する場合であれば、メニューテーブルデータ１６を２階層または３階層としておけば、使用者が画面を見ずに操作しても操作ミスを少なくすることができる。
もちろんメニューテーブルデータ１６が階層を有しなくてもよい。つまり、メニューテーブルデータ１６は１つでもよい。
【００３８】
なお、選択部１０は、移動方向決定データ１８において、選択メニューＭとその選択メニューＭと関連づけられているスマートフォンＳの移動方向との関係を変更する選択方法変更部を備えていてもよい。かかる選択方向変更部を設ければ、使用者が使用する頻度の高い選択メニューＭを、使用者が動かしやすい動作で選択できるようになるので、機能選択の時間を短くできるし、誤操作を抑制しやすくなる。
【００３９】
＜スマートフォンＳの操作＞
上記のごとき本実施形態の入力装置１を備えているスマートフォンＳでは、以下のように操作すれば、機能を選択できる（図４）。
なお、内容を分かりやすくするために、選択されているメニューテーブルデータ１６がスマートフォンＳの画面Ｄに表示され、選択メニューＭを選択すると表示画面が切り替わる場合を前提に説明する。
また、スマートフォンＳの移動停止は加速度によって判断している場合を代表として説明する。
【００４０】
まず、デフォルトのメニューテーブルデータ１６（最上位階層のメニューテーブルデータ１６、図２のメニューテーブルデータ１６Ａ参照）がスマートフォンＳの画面Ｄに表示されているとする（図４のＳ１）。この状態で、スマートフォンＳを移動させると、検出部２がスマートフォンＳの加速度を検出する（Ｓ２）。
【００４１】
スマートフォンＳの移動する加速度が一定の値よりも小さい場合には、判断部５は入力が無いと判断して、デフォルトのメニューテーブルデータ１６が画面Ｄに表示された状態を維持する。
【００４２】
一方、スマートフォンＳの移動によってある方向の加速度が一定の値を越えた場合には、判断部５の移動方向決定機能６はスマートフォンＳの移動による入力操作がなされたと判断する。そして、加速度が一定の値を越えた方向の加速度のうち、一の方向の加速度が一定の値よりも小さくなった場合には、判断部５の移動方向決定機能６は移動方向を判断する（Ｓ３）。すると、移動方向分類機能７は、移動方向決定機能６によって決定されたスマートフォンＳの移動方向を分類する（Ｓ４）。
【００４３】
移動方向分類機能７が移動方向を分類すると、判断部５から分類された移動方向が選択部１０に送信され、選択部１０の機能選択部１１によって移動方向と関連づけられた機能が選択される（Ｓ５）。
【００４４】
連続してスマートフォンＳの移動された場合には、全ての方向の加速度が所定の値よりも小さくなるまで上記処理が繰り返される。
【００４５】
以上のように、スマートフォンＳ等の携帯用端末に本実施形態の入力装置１を設ければ、携帯用端末を移動させるだけで選択メニューＭを選ぶことができるので、視覚障碍者等であっても携帯用端末の操作が容易になる。
【００４６】
とくに、選択メニューＭを選ぶ動作、つまり、スマートフォンＳの移動方向の分類を４、６または８方向にすれば、使用者の誤操作を少なくすることができるし、メニューテーブルデータ１６の階層を３階層以下にしておけば、視覚障碍者であっても携帯用端末の操作が容易になる。
【００４７】
＜読み上げ機能２０＞
選択部１０は、スマートフォンＳを移動させた際に、選択された選択メニューＭを読み上げる読み上げ機能を有していてもよい。例えば、現在選択されているメニューテーブルデータ１６において、スマートフォンＳを移動させた際に選択される選択メニューＭを読み上げる。すると、使用者が自分で意図した選択メニューＭを選択できたことを確認できるので、誤操作を抑制できる。とくに、視覚障碍者の方の誤操作を抑制できる。また、操作に慣れていない人が操作を練習する際に読み上げ機能を使用すれば、使用者の操作の習熟度を高めることができる。
【００４８】
また、連続してスマートフォンＳを移動させた場合、つまり、機能選択を連続して行った場合には、最終的に選択された機能のみを読み上げる機能を設けてもよい。
【実施例】
【００４９】
本発明の入力装置の有効性を実験によって確認した。実験内容の詳細は下記論文を参考。
1.                Nem Khan Dim, Kibum Kim, Xiangshi Ren (2017). An Exploratory Study of Marking Menu Selection by Visually Impaired Participants, Proceedings of 3rd IEEE International Conference in Smart Computing (SMARTCOMP 2017, 29-31 May 2017, Hong Kong), pp. 1-7.
2.                Nem Khan Dim, Kibum Kim, Xiangshi Ren (2018).Designing motion marking menus for people with visual impairments. Int. J. Hum.-Comput. Stud. 109: 79-88 
【００５０】
実験では、携帯端末の移動方向を４方向、６方向、８方向、１２方向に分類し、階層を１−４階層として、被験者が携帯端末を移動させることによって、所定の機能を選択するための時間と選択エラーの関係を確認した。実験では、選択するメニューがどの操作によって得られるかを周知させた上で、選択するメニューを読み上げてその選択メニューを選択する操作を実施させた。
【００５１】
被験者は２７歳から７８歳までの１２人（女性２人、男性１０人）であり、被験者のうち２人は軽度の対象識別能力を有しており、３人は対象を視認はできるが対象識別能力は有していない。残りの被験者は全く目が見えないものであった。また、被験者のうち２人は遅く視覚障碍者（２２歳、４８歳）となったものであり、残りは早期に視覚障碍者（０歳〜３歳）となったものであった。
【００５２】
なお、事前に壁に設けた触覚パターンに被験者に触って携帯端末の移動方向を認識させたうえで、簡単な機能選択操作（左右上下のみの動きでの選択操作）によって携帯端末の操作に慣れさせた（図５（ｃ）参照）。
また、携帯端末の移動方向は、モーションキャプチャーによって決定した。
【００５３】
また、実験は不慣れな操作によるエラーを除くために、「精神的スリップ」（ノーマン１９８１）によるエラー等は実験結果から除去した。
【００５４】
結果を図６、図７に示す。
なお、図６において、カッコ内の数値は標準誤差を示している。
図６に示すように、４方向の分類の場合、階層に係らずエラーはほとんどない。また、６方向および８方向の分類の場合には、階層が深くなるに従ってエラーが多くなっているが、６方向および８方向の同じ階層間ではほとんど差が見られない。一方、１２方向では一つの階層しかなくてもエラーが非常に多くなっている。そして、エラー率は、６方向および８方向では、３階層と４階層では有意に高くなっている。
【００５５】
これに対し、図７に示すように、応答時間は方向の分類数に係らず、階層によって長くなる傾向を示している。
【００５６】
以上の結果より、携帯端末の移動によって入力を行う場合には、移動方向および階層は、４方向、６方向、８方向に分類し、３階層以下とすることが望ましいと考えられる。
【００５７】
別な実験では、本発明の携帯端末の移動による入力方法と、音声サポートにより通常の画面操作による入力を実施する方法と、を比較した。音声サポートにより通常の画面操作による入力には、Ａｎｄｒｏｉｄデバイスの市販のメニューシステムであるＴａｌｋＢａｃｋＴＭを使用した。なお、ＴａｌｋＢａｃｋＴＭでは操作のフィードバックがある場合と、フィードバックが無い場合についても実験を行った。
【００５８】
実験では、４つの選択メニューが表示されるメニューテーブルが２階層になっている場合において、応答時間を比較した。
【００５９】
被験者は２６歳から７８歳までの１２人（女性３人、男性９人）であり、被験者のうち９名は前述した実験に参加した者である。
【００６０】
なお、携帯端末の移動方向は、携帯端末に実装した加速度計センサを使用して決定した。
【００６１】
結果を図８に示す。
図８に示すように、本発明の携帯端末の移動による入力方法では、ＴａｌｋＢａｃｋＴＭを使用した場合に比べて、大幅に応答時間を短縮できることが確認された。
【産業上の利用可能性】
【００６２】
本実施形態の入力装置は、スマートフォンや携帯電話等の携帯端末の入力に使用することができる。
【符号の説明】
【００６３】
１      入力装置
２      検出器
５      判断部
６      移動方向決定機能
７      移動方向分類機能
１０      選択部
１１      機能選択部
１５      記憶部
１６      メニューテーブルデータ
１７      階層連携データ
１８      移動方向決定データ
２０      読み上げ機能
Ｓ      スマートフォン
Ｄ      表示部
Ｍ      選択メニュー
【図１】
2019096260.tif 000003
【図２】
2019096260.tif 000004
【図３】
2019096260.tif 000005
【図４】
2019096260.tif 000006
【図５】
2019096260.tif 000007
【図６】
2019096260.tif 000008
【図７】
2019096260.tif 000009
【図８】
2019096260.tif 000010